(57)【要約】【課題】遊技の興趣をより向上させることができる遊技機を提供する。【解決手段】遊技球が流下可能な遊技盤１１の盤面に始動入賞装置１６が取り付けられ、始動入賞装置１６は、遊技盤１１の盤面から略直交する方向に向けて位置するように設けられた軸部材２４、２５と、軸部材２４、２５が挿通可能に形成された挿通孔５１、５４と、挿通孔５１、５４の下方に向けて、挿通孔５１、５４と連続して凹状に形成された凹部５７、５８とを有し、遊技球が流入するのを許容する第１位置と、遊技球が流入するのを阻止する第２位置との間で軸部材２４、２５を軸中心として回動可能に形成された羽根部材２２、２３と、羽根部材２２、２３の下方に配置され、軸部材２４、２５を照らすための光を照射する発光体６２、６３を有する発光部材２６とを備え、発光体６２、６３は、奥行き方向の位置が凹部５７、５８よりも前側に位置するように形成されている。【選択図】  図６
2016096855.tif 000002
【特許請求の範囲】
【請求項１】
遊技球が流下可能な遊技盤の盤面に入賞装置が取り付けられた遊技機であって、
前記入賞装置は、
前記盤面から略直交する方向に向けて位置するように設けられた回動軸と、
前記回動軸が挿通可能に形成された軸孔と、前記軸孔の下方に向けて、前記軸孔と連続して凹状に形成された凹部とを有し、前記遊技球が流入するのを許容する第１位置と、前記遊技球が流入するのを阻止する第２位置との間で前記回動軸を軸中心として回動可能に形成された羽根部材と、
前記羽根部材の下方に配置され、前記回動軸を照らすための光を照射する光源を有する発光部材とを備え、
前記光源は、奥行き方向の位置が前記凹部よりも前側に位置するように形成されていることを特徴とする遊技機。
【請求項２】
羽根部材は、樹脂材料により成形されており、前記羽根部材の成形時に前記樹脂材料を注入する注入部の位置と対応する位置に軸孔に形成された凹部が形成されている請求項１記載の遊技機。
【請求項３】
入賞装置には、光源から照射される光を集光するための集光部が形成されている請求項１又は２記載の遊技機。
【請求項４】
集光部は、光源が配置された位置の略直上に位置する開口部と、前記開口部の両側に前記光源寄りの位置と回動軸寄りの位置との間で形成された集光面とを有しており、
互いに対向する集光面の幅が前記光源寄りの位置から前記回動軸寄りの位置に向けて順次狭くなるように形成されている請求項３記載の遊技機。
【発明の詳細な説明】
【技術分野】
【０００１】
本発明は、遊技球が流下可能な遊技盤に各種の入賞装置が取り付けられている遊技機に関する。
【背景技術】
【０００２】
パチンコ店において遊技者の遊技に供される遊技機の一つに、いわゆるパチンコ機がある。一般的に、パチンコ機は遊技盤を備えており、この遊技盤の表面には遊技球が流下可能な遊技領域が形成されている。遊技領域には、普通入賞装置、始動入賞装置及び大入賞装置等の各種入賞装置が設けられている。普通入賞装置は、遊技球の入賞により所定個数（例えば１０個）の賞球を払い出す契機となる入賞装置である。また、始動入賞装置は、遊技者に不利な通常遊技状態から遊技者に有利な特別遊技状態へ移行するか否かの抽選を行う契機となる入賞装置である。さらに、大入賞装置は、抽選で当選した時のみ開放され、遊技球の入賞により所定個数（例えば１０個）の賞球を払い出す契機となる入賞装置である。
【０００３】
従来の遊技機では、始動入賞装置として、いわゆる電チューと呼ばれる始動入賞装置が用いられることがある。この種の始動入賞装置は、一般的に、一対の羽根部材が開閉するように構成されており、通常遊技状態では羽根部材は閉じ、遊技中における所定の条件を具備すると所定の周期で羽根部材が開閉を所定回数繰り返す動作を行う。このような構成の始動入賞装置は、例えば特許文献１に記載されている。特許文献１には、一対の羽根部材の下方に発光部材を配置しておき、この羽根部材が回動する際の軸となる回動軸に向けて光を照射して、光を用いた演出態様を増やし、多様な演出を行えるようにした遊技機用入賞装置が開示されている。
【先行技術文献】
【特許文献】
【０００４】
【特許文献１】特開２００３−１３５７３７号公報
【発明の概要】
【発明が解決しようとする課題】
【０００５】
近年の遊技機は、液晶表示装置の大型化に伴って役物装置も大型化する傾向が強い。そのため、遊技機における演出は、液晶表示装置に映像等を表示させることによるものが増加している。しかし、その一方で、従来から行われている入賞装置等の動作や各種発光装置の発光態様を変化させることによる演出も行われており、これらの演出を複合的に用いることで遊技の興趣を向上させるための演出が行われている。しかしながら、特許文献１に記載されている遊技機では、羽根部材の下方に配置した発光部材から単に光を照射し、その照射した光を回動軸で光を反射させて羽根部材を全体的に明るくするといったような演出を行うことしかできず、上記したような各種の演出を複合的に用いた演出の中で遊技者の興味を引くような演出を行うことが難しいという問題があった。
【０００６】
本発明は、上記した問題点に鑑みてなされたものであり、遊技の興趣をより向上させることができる遊技機を提供することを目的とする。
【課題を解決するための手段】
【０００７】
本発明は、
（１）遊技球が流下可能な遊技盤の盤面に入賞装置が取り付けられた遊技機であって、前記入賞装置は、前記盤面から略直交する方向に向けて位置するように設けられた回動軸と、前記回動軸が挿通可能に形成された軸孔と、前記軸孔の下方に向けて、前記軸孔と連続して凹状に形成された凹部とを有し、前記遊技球が流入するのを許容する第１位置と、前記遊技球が流入するのを阻止する第２位置との間で前記回動軸を軸中心として回動可能に形成された羽根部材と、前記羽根部材の下方に配置され、前記回動軸を照らすための光を照射する光源を有する発光部材とを備え、前記光源は、奥行き方向の位置が前記凹部よりも前側に位置するように形成されていることを特徴とする遊技機、
（２）羽根部材は、樹脂材料により成形されており、前記羽根部材の成形時に前記樹脂材料を注入する注入部の位置と対応する位置に軸孔に形成された凹部が形成されている上記（１）記載の遊技機、
（３）入賞装置には、光源から照射される光を集光するための集光部が形成されている上記（１）又は（２）記載の遊技機、
（４）集光部は、光源が配置された位置の略直上に位置する開口部と、前記開口部の両側に前記光源寄りの位置と回動軸寄りの位置との間で形成された集光面とを有しており、互いに対向する集光面の幅が前記光源寄りの位置から前記回動軸寄りの位置に向けて順次狭くなるように形成されている上記（３）記載の遊技機、
を要旨とする。
【発明の効果】
【０００８】
本発明によれば、回動軸が挿通されている軸孔と、この軸孔に連続して凹状に形成された凹部とを備えており、この軸孔に対して光源から光が照射される。また、光源は、奥行き方向の位置が凹部よりも前側に位置するように配置されるので、光源から照射された光のうち、奥行き方向後側に向かって照射された光は、凹部において遊技機の前側、即ち遊技者に向かって反射させることもできる。したがって、本発明によれば、より遊技の興趣を向上させる演出を行うことが可能になる。
【図面の簡単な説明】
【０００９】
【図１】本発明の実施の形態に係る遊技機の外観を表す正面図である。
【図２】本実施の形態の遊技機に係る遊技盤の正面図である。
【図３】始動入賞装置の斜視図である。
【図４】前側から見た始動入賞装置の分解斜視図である。
【図５】後側から見た始動入賞装置の分解斜視図である。
【図６】（ａ）図は、カバー部材の構成並びにカバー部材を裏側から見た場合における第１羽根部材、第２羽根部材及び発光部材の位置関係を説明するための説明図であり、（ｂ）図は、側方から見た場合における第１羽根部材と発光部材の位置関係を説明するための説明図である。
【発明を実施するための形態】
【００１０】
本発明の遊技機に係る実施の形態について、図面を用いて具体的に説明する。なお、本明細書では、本発明に係る遊技機の例としてパチンコ遊技機を用いて説明するが、本発明はパチンコ遊技機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１１】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて構成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することが出来るように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
遊技機１は、遊技盤１１に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９が配置されている。また、遊技機１の内部には、音声を出力するためのスピーカ１０が設けられている。
【００１３】
図２に示すように、遊技盤１１は、アクリルやポリカーボネート等の合成樹脂材料で略正方形状に形成された平板状の部材である。この遊技盤１１の背面側には、裏ユニット（図示せず）がビス等によって取付固定されている。遊技盤１１には、センター役物１２を取付固定するための開口部が略中央部に開口形成されている。また、遊技盤１１の表面には、発射装置で弾発された遊技球を遊技盤１１の上部へ案内する案内レール１３が設けられている。また、遊技盤１１には、案内レール１３により遊技盤１１の上部に案内された遊技球が遊技盤１１の下部に向けて流下する遊技領域１４が形成されている。即ち、遊技盤１１には、遊技領域１４の外延部に案内レール１３が設けられるようにして構成されている。
【００１４】
遊技領域１４には、センター役物１２を視認可能にするとともに該センター役物１２の該装飾体を取り付けるための開口部が略中央部に開口形成されている。また、遊技領域１４には、遊技球が入賞すると所定個数の賞球を払い出す契機となる普通入賞装置１５、遊技球が入賞すると遊技の状態を遊技者にとって有利な特別遊技状態に移行するか否かを抽選する契機となる始動入賞装置１６、特別遊技状態に移行している時にのみ開口し、遊技球が入賞する毎に所定個数の賞球を払い出す契機となる大入賞装置１７が設けられている。
【００１５】
また、遊技盤１１には、多数の障害釘１８が打ちつけられており、遊技領域１４を流下する遊技球の流下方向を変化させることができるようになっている。遊技球は、発射装置で弾発されると、これらの障害釘１８によって流下方向を変化させながら遊技領域１４を流下する。そして、一部の遊技球は、上記した普通入賞装置１５、始動入賞装置１６又は大入賞装置１７のような各種入賞装置に入賞する。一方、これら各種入賞装置に入賞しなかった遊技球は、遊技盤１１の下部に開口形成されているアウト口１９に流入する。
【００１６】
次に、始動入賞装置１６の構成を図３〜図５に基づいて説明する。始動入賞装置１６は、ベース部材２１を備えている。また、始動入賞装置１６は、ベース部材２１の前側に、第１羽根部材２２、第２羽根部材２３、第１軸部材２４、第２軸部材２５、第１発光部材２６、カバー部材２７が取り付けられている。さらに、始動入賞装置１６には、第２発光部材２８、第３発光部材２９、第１裏カバー部材３０、駆動部３１、球センサ部材３２及び第２裏カバー部材３３がベース部材２１の後側に取り付けられている。
【００１７】
ベース部材２１は、遊技盤１１の前側にネジ止め等によって取付固定することができるように形成されている。このベース部材２１には、遊技盤１１にネジ止めする際に使用するネジ止め用孔４１が３ヶ所に開口形成されている。また、ベース部材２１は、表面に各種の装飾を施した装飾部４２を有している。なお、この装飾部４２の装飾は任意に選択してよい。また、ベース部材２１は、開口部４３、第１後軸受孔４４、第２後軸受孔４５、第１球避部４６、第２球避部４７、第１球受入部４８及び第２球受入部４９を備えている。開口部４３は、ベース部材２１の略中央に開口形成されている。この開口部４３は、始動入賞装置１６に入賞した遊技球が通過することができる大きさに形成されている。また、この開口部４３は、下部の開口が他の部分よりも左右に大きく広がるように形成されており、後述する第１羽根部材２２及び第２羽根部材２３が作動する際、第１羽根部材２２に形成されている第１作動ピン５３及び第２羽根部材２３に形成されている第２作動ピン５６がベース部材２１に干渉することを防止し、これら第１羽根部材２２及び第２羽根部材２３がスムーズに作動するように形成されている。
【００１８】
第１後軸受孔４４は、ベース部材２１の表面側において、開口部４３の左側下部に形成されている。この第１後軸受孔４４は、後述する第１軸部材２４の一端部が挿入できる大きさに形成されている。第２後軸受孔４５は、ベース部材２１の表面側において、開口部４３の右側下部に形成されている。この第２後軸受孔４５は、後述する第２軸部材２５の一端部が挿入できる大きさに形成されている。
【００１９】
第１球避部４６は、ベース部材２１において開口部４３の上方に位置し、かつベース部材２１の表面から前側に向けて延出するように形成されている。本実施の形態では、この第１球避部４６は、右側に向けて下り傾斜するように形成されており、後述する第２球受入部４９に向けて遊技球が転動するように形成されており、これによって始動入賞装置１６に遊技球が入賞しやすくなるように構成されている。第２球避部４７は、ベース部材２１の左上に形成されている。この第２球避部４７は、ベース部材２１の左上部の形状に略沿う形で形成されている。また、この第２球避部４７は、上部は左側が下り傾斜し、流下する遊技球がその第２球避部４７の外面を沿って転動することが出来るようにも形成されている。
【００２０】
第１球受入部４８は、第１球避部４６と第２球避部４７との間に形成されている。この第１球受入部４８は、少なくとも１個の遊技球を受け入れることができる幅を有するように形成されている。第２球受入部４９は、第１球避部４６において第２球避部４７と対向する側とは反対側の端部、即ち第１球避部４６の右側に形成されている。この第２球受入部４９も、少なくとも１個の遊技球を受け入れることができるように形成されている。なお、本実施の形態では、第２球受入部４９としては、第１球避部４６の右側に対向する部材が形成されていない例を用いているが、第１球避部４６の右側にさらに別の球避部を設けてもよい。この場合には、少なくとも１個の遊技球を受け入れることができる幅を有するように形成すればよい。
【００２１】
第１羽根部材２２は、例えばポリカーボネート等のような樹脂材料で形成されており、回動軸としての第１軸部材２４を介してベース部材２１とカバー部材２７との間に軸支されている。この第１羽根部材２２は、遊技領域１４を流下する遊技球が始動入賞装置１６に流入して入賞するのを許容する第１位置としての開位置と、遊技球が流入するのを阻止して入賞しないようにする第２位置としての閉位置との間で第１軸部材２４を軸中心として回動可能となるように形成されている。この第１羽根部材２２は、第２羽根部材２３と対向する面が平面状に形成された第１転動面２２ａとなり、この第１転動面２２ａ以外の他の部分は曲面状に形成されている。また、第１羽根部材２２は、下部に回動軸としての第１軸部材２４が挿通可能な大きさに形成された第１挿通孔５１が貫通形成されており、またこの第１挿通孔５１の表面側の端部には、第１羽根部材２２の他の前面よりも一段引っ込むように第１切欠き部５２が形成されている。この第１切欠き部５２は、カバー部材２７に形成された第１側部７４との干渉を防ぐために設けられている。また、第１羽根部材２２には、裏面から後方向に向けて第１作動ピン５３が形成されている。この第１羽根部材２２は、第１作動ピン５３が作動すると、第１軸部材２４を中心にして開位置と閉位置との間を回動するようになっている。第１羽根部材２２が閉位置から開位置に回動している時、遊技領域１４を流下する遊技球の一部は、第１羽根部材２２の第１転動面を転動して始動入賞装置１６に入賞する。この時、第１羽根部材２２には、第１球受入部４８から受け入れられた遊技球が主に流下する。
【００２２】
第２羽根部材２３は、例えばポリカーボネート等のような樹脂材料で形成されており、回動軸としての第２軸部材２５を介してベース部材２１とカバー部材２７との間に軸支されている。この第２羽根部材２３は、遊技領域１４を流下する遊技球が始動入賞装置１６に入賞して入賞するのを許容する第１位置としての開位置と、遊技球が流入するのを阻止して入賞しないようにする第２位置としての閉位置との間で第２軸部材２５を軸中心として回動可能となるように形成されている。この第２羽根部材２３は、第１羽根部材２２と対向する面が平面状に形成された第２転動面２３ａとなり、この第２転動面２３ａ以外の他の部分は曲面状に形成されている。また、第２羽根部材２３は、下部に回動軸としての第２軸部材２５が挿通可能な大きさに形成された第２挿通孔５４が貫通形成されており、またこの第２挿通孔５４の表面側の端部には、第２羽根部材２３の他の前面よりも一段引っ込むように第２切欠き部５５が形成されている。この第２切欠き部５５は、カバー部材２７に形成された第２側部７５との干渉を防ぐために設けられている。この第２羽根部材２３は、第２作動ピン５６が作動すると、第２軸部材２５を軸中心にして開位置と閉位置との間を回動するようになっている。第２羽根部材２３が閉位置から開位置に回動している時、遊技領域１４を流下する遊技球の一部は、第２羽根部材２３の第２転動面を転動して始動入賞装置１６に入賞する。この時、第２羽根部材２３には、第２球受入部４９から受け入れられた遊技球が主に流下する。
【００２３】
図６（ｂ）に示すように、これら第１羽根部材２２及び第２羽根部材２３に形成されている第１挿通孔５１及び第２挿通孔５４には、これら第１挿通孔５１及び第２挿通孔５４の下方に向けて該第１挿通孔５１及び第２挿通孔５４と連続して凹状に形成された凹部、即ち、第１挿通孔５１には第１凹部５７が形成され、第２挿通孔５４には第２凹部５８が形成されている。なお、以下における説明では、第１凹部５７及び第２凹部５８の形状は同じであるから、第１凹部５７を取り上げて説明し、第２凹部５８の説明はここでは省略する。
【００２４】
第１凹部５７は、第１羽根部材２２の成形時に樹脂材料を注入する注入部５９の位置と対応する位置に第１挿通孔５１に形成されている。即ち、第１羽根部材２２は、樹脂材料により成形することで得られる。樹脂材料を用いて第１羽根部材２２を成形する際には、該第１羽根部材２２の形作った金型の中に樹脂材料を注入することにより形成される。例えば、射出成型を例に挙げると、ノズルから射出された溶融した樹脂材料は、金型内におけるスプルー、ランナーを通って成形品である第１羽根部材２２となる空洞部分への流入口（ゲート）を通って該空洞部分へ注入される。ゲートの種類としては、例えばサイドゲート、ジャンプゲート、ダイレクトゲートと言うような種々のゲートが存在する。このように、金型に樹脂材料を注入することで第１羽根部材２２を形成する場合、ゲートを通じて空間に樹脂材料が注入される注入部５９が第１羽根部材２２には形成される。第１凹部５７は、この第１注入部５９が形成される位置と対応する位置に形成されることになる。即ち、第１注入部５９は、第１羽根部材２２の外周面の所定位置に形成されるが、第１凹部５７は、第１挿通孔５１におけるこの第１注入部５９と対応する位置に形成される。なお、本実施の形態では、第１羽根部材２２の成形方法としては樹脂材料を射出成形で形成する例を用いて説明したが、他の形成方法であってもよい。なお、「第１注入部５９の位置と対応する位置」とは、第１羽根部材２２の外周側に第１注入部５９が形成された場合に、第１挿通孔５１に対して投影した位置を意味する。
【００２５】
回動軸としての第１軸部材２４は、一端がカバー部材２７に形成されている後述する第１前軸受孔２７ａに差し込まれ、他端がベース部材２１の第１後軸受孔４４に差し込まれ、さらには第１羽根部材２２の第１挿通孔５１を挿通することができる外径を有するように形成されている。また、第１軸部材２４は、このようにカバー部材２７の第１前軸受孔２７ａとベース部材２１の第１後軸受孔４４との間に配置すると、遊技盤１１の盤面から略直交する方向に向けて位置するように設けられる。なお、この第１軸部材２４は、第１前軸受孔２７ａ及び第１後軸受孔４４に挿入され、さらに第１羽根部材２２を回動可能に支持することができればよく、その材質等は特に限定されない。
【００２６】
回動軸としての第２軸部材２５は、一端がカバー部材２７に形成されている後述する第２前軸受孔２７ｂに差し込まれ、他端がベース部材２１の第２後軸受孔４５に差し込まれ、さらには第２羽根部材２３の第２挿通孔５４を挿通することができる外径を有するように形成されている。また、第２軸部材２５は、第２前軸受孔２７ｂと第２後軸受孔４５との間に配置すると、遊技盤１１の盤面から略直交する方向に向けて位置するように設けられる。この場合、第１軸部材２４と第２軸部材２５とが平行に配置されていることが好ましい。なお、第２軸部材２５は、第２前軸受孔２７ｂ及び第２後軸受孔４５に挿入され、さらに第２羽根部材２３を回動可能に支持することができればよく、その材質等は特に限定されない。また、第１軸部材２４と第２軸部材２５とは、同じ材質であってもよいし、異なる材質であってもよい。
【００２７】
発光部材としての第１発光部材２６は、カバー部材２７の後述する第１発光部材挿入部７８に挿入される。この第１発光部材２６は、第１基板６１と第１発光体６２及び第２発光体６３と第１コネクタ部６４を有しており、第１基板６１の上であって該第１基板６１の左右方向中央部に第１コネクタ部６４が配置され、第１基板６１の上であって第１コネクタ部６４から左右方向に所定距離離れた箇所に第１発光体６２及び第２発光体６３が配置されている。第１基板６１は、カバー部材２７の第１発光部材挿入部７８に挿入した時に、第１基板６１が該第１発光部材挿入部７８内に配置可能な大きさに形成されている。第１発光体６２及び第２発光体６３は、従来から公知のものを任意に選択して用いることができるが、例えば発光ダイオード（ＬＥＤ）を用いることが好ましい。また、第１コネクタ部６４にも、従来から公知のものを任意に選択して用いてよい。第１発光体６２は、カバー部材２７の第１発光部材挿入部７８に挿入した時には、第１羽根部材２２の下方に位置するように配置され、第２発光体６３は、第１発光部材挿入部７８に挿入した時には、第２羽根部材２３の下方に位置するように配置される。本実施の形態では、第１発光体６２は、第１羽根部材２２の下方から該第１羽根部材２２に向けて光を照射し、第２発光体６３は、第２羽根部材２３の下方から該第２羽根部材２３に向けて光を照射するように配置されているが、これら第１発光体６２及び第２発光体６３を構成する各種発光体の個数は特に限定されるものではない。また、第１発光体６２は、カバー部材２７の第１発光部材挿入部７８に第１発光部材２６が挿入された時に、該カバー部材２７に形成されている後述する第１集光部７６と対応する位置に位置するように配置される。また、第２発光体６３は、第１発光部材挿入部７８に第１発光部材２６が挿入された時に、後述する第２集光部７７と対応する位置に位置するように配置される。即ち、図６に示すように、カバー部材２７の第１集光部７６の下には、第１発光体６２が配置されており、第２集光部７７の下には、第２発光体６３が配置されている。
【００２８】
カバー部材２７は、カバー本体７１、上板部７２、下板部７３、第１側部７４、第２側部７５、第１集光部７６、第２集光部７７及び第１発光部材挿入部７８を備えている。カバー本体７１は、カバー部材２７の表面側に位置し、前面に所定の装飾等が施されている。この所定の装飾等は、遊技機１に応じて任意に変更してよい。上板部７２は、カバー本体７１の裏面から後側に向けて延出形成されており、左右方向の一端部及び他端部に比べて、これら一端部及び他端部に挟まれた中央部の高さ位置が高くなるように形成された凸形状をなすように形成されている。また、中央部の上面には、始動入賞装置１６に入賞する遊技球を案内する案内部７９が形成されている。一端部及び他端部は、それぞれ斜め上方向に向くように形成されている。下板部７３は、カバー本体７１の下部において、該カバー本体７１の裏面から後側に受けて延出形成されている。また、この下板部７３は、カバー部材２７の下部の形状に沿った形で湾曲するように形成されている。第１側部７４は、下板部７３の左右方向の一端に形成されている。この第１側部７４は、上板部７２の一端部と対向する位置に、該一端部とは所定距離の間隔をあけて配置されている。また、第２側部７５は、下板部７３の左右方向の他端に形成されている。この第２側部７５は、上板部７２の他端部と対向する位置に、該他端部とは所定距離の間隔をあけて配置されている。
【００２９】
集光部としての第１集光部７６は、第１発光部材２６の光源から照射される光を集光するためのものである。この第１集光部７６は、第１開口部８１と第１集光面８２とを備えている。第１開口部８１は、第１発光部材挿入部７８に第１発光部材２６が挿入配置された時に、第１発光体６２が下方に位置するように、即ち第１発光部材挿入部７８に第１発光部材２６が挿入配置された時に、第１発光体６２の上方に第１開口部８１が位置するように形成されている。この第１開口部８１は、少なくとも第１発光体６２の大きさと同じか、又は第１発光体６２の大きさよりも大きな幅を有するように形成されている。第１集光面８２は、上板部７２の一端と第１側部７４に形成されている。これら上板部７２の一端及び第１側部７４に形成された集光面は、その幅が第１発光体６２寄りの位置から第１軸部材２４寄りの位置に向けて順次狭くなるように形成されている。
【００３０】
また、集光部としての第２集光部７７は、発光部材の第２発光体６３の光源から照射される光を集光するためのものである。この第２集光部７７は、第２開口部８３と第２集光面８４とを備えている。第２開口部８３は、第１発光部材挿入部７８に第１発光部材２６が挿入配置された時に、第２発光体６３が下方に位置するように、即ち第１発光部材挿入部７８に第１発光部材２６が挿入配置された時に、第２発光体６３の上方に第２開口部８３が位置するように形成されている。この第２開口部８３は、少なくとも第２発光体６３の大きさと同じか、又は第２発光体６３の大きさよりも大きな幅を有するように形成されている。第２集光面８４は、上板部７２の他端と第２側部７５に形成されている。これら上板部７２の他端及び第２側部７５に形成された第２集光面８４は、その幅が第１発光体６２よりの位置から第２軸部材２５寄りの位置に向けて順次狭くなるように形成されている。
【００３１】
第１発光部材挿入部７８は、上板部７２と底板部との間に形成されている空間である。この第１発光部材挿入部７８は、第１発光部材２６が挿入することができる幅方向及び高さ方向の幅を有する空間であり、略中央部には、第１発光部材２６の第１コネクタ部６４が挿入可能な形状に形成されている。
【００３２】
このような構成のカバー部材２７に第１羽根部材２２、第２羽根部材２３及び第１発光部材２６を配置すると、図６（ａ）及び図６（ｂ）に示す位置関係となる。なお、図６（ｂ）では、説明の便宜上、第１羽根部材２２と第１発光部材２６との位置関係についてのみ説明し、位置関係が同じである第１羽根部材２２と第１発光部材２６との説明については省略する。図６（ｂ）に示すように、第１発光部材２６は第１羽根部材２２の下方に配置される。また、図６（ａ）に示すように、第１発光体６２は、第１発光部材挿入部７８に挿入されると、第１羽根部材２２における第１挿通孔５１及びこの第１挿通孔５１を挿通している第１軸部材２４の下方に配置され、第１軸部材２４を照らすように光を照射する。また、図６（ｂ）に示すように、第１発光体６２は、奥行き方向の位置が第１凹部５７よりも前側に位置するように配置される。
【００３３】
第２発光部材２８及び第３発光部材２９は、ベース部材２１の後側に配置される。これら第２発光部材２８及び第３発光部材２９は、例えばＬＥＤのような発光体を用いて種々の光が照射されるようにすることができる。また、これら第２発光部材２８及び第３発光部材２９に用いる発光体は、先に説明した第１発光部材２６に用いている第１発光体６２と同じものを用いてもよいし、異なるものを用いてもよい。
【００３４】
第１裏カバー部材３０はベース部材２１の裏側にネジ止め等によって取付固定することが出来るように構成されている。第１裏カバー部材３０には、始動入賞装置１６に入賞した遊技球を奥側に案内する案内路３０ａが形成されており、スムーズに入賞した遊技球を遊技機１の奥側に転動させることができるように構成されている。駆動部３１は、プランジャ９１を往復動させるソレノイド９２と、このプランジャ９１に形成されているフランジ部９３と係合する係合受部９４を有しており、該フランジ部９３の往復動に伴って作動する第１従動部材９５と、第１従動部材９５に形成されている係合凹部９６において係合する係合片９７を有し、第１従動部材９５の動作に伴って、回動軸部９８を中心に回動し、第１羽根部材２２の第１作動ピン５３と関わる第１作動部９９と、第２羽根部材２３の第２作動ピン５６と関わる第２作動部１００とを有する第２従動部材１０１を備えている。
【００３５】
球センサ部材３２は、第２裏カバー部材３３の中に配置されている。この球センサ部材３２は、始動入賞装置１６に遊技球が入賞したことを検知するためのものであり、従来から公知のものを任意に選択して用いることができる。第２裏カバー部材３３は、第１裏カバー部材３０の後側にネジ止め等によって取付固定されている。この第２裏カバー部材３３は球センサ部材３２を挿入可能なセンサ挿入部３３ａが形成されており、始動入賞装置１６に入賞し、第１裏カバー部材３０の案内路を転動してきた遊技球を球センサ部材３２に向けて案内することができるように構成されている。
【００３６】
次に、本発明に係る遊技機１の作用効果について説明する。本実施の形態に係る遊技機１は、始動入賞装置１６を構成する第１羽根部材２２の第１挿通孔５１に第１凹部５７を有し、第２羽根部材２３の第２挿通孔５４に第２凹部５８を有している。また、これら第１羽根部材２２及び第２羽根部材２３の下方に第１発光部材２６が配置されており、第１発光部材２６の第１発光体６２は第１挿通孔５１に対して光を照射し、第１発光部材２６の第２発光体６３は第２挿通孔５４に対して光を照射する。この時、第１挿通孔５１には第１軸部材２４が挿通配置されており、第２挿通孔５４には第２軸部材２５が挿通配置されている。したがって、第１発光体６２から照射された光は第１軸部材２４において反射し、第２発光体６３から照射された光は第２軸部材２５において反射する。そのため、始動入賞装置１６におけるベース部材２１の後方に取付固定された第２発光部材２８及び第３発光部材２９から照射される光を用いた演出に加えて、例えば第１羽根部材２２及び第２羽根部材２３を明るく照らすようにして種々の演出を行うことが可能になり、遊技者の興趣を向上させるような演出をより多様化することが可能になる。
【００３７】
また、本実施の形態に係る遊技機１は、上記したように第１羽根部材２２及び第２羽根部材２３並びに第１発光部材２６を配置した時に、前後方向において第１凹部５７よりも前側に第１発光体６２が位置し、第２凹部５８よりも前側に第２発光体６３が位置するように配置される。したがって、第１発光体６２から第１羽根部材２２に向けて光が照射された場合には、第１挿通孔５１及び第１軸部材２４において光が反射するだけではなく、第１凹部５７に入射して屈折した光を用いて第１軸部材２４において反射させた反射光や第１凹部５７に入射した光を用いて演出を行うことができる。同様に、第２発光体６３から第２羽根部材２３に向けて光が照射された場合には、第２挿通孔５４及び第２軸部材２５において光が反射するだけではなく、第２凹部５８に入射して屈折した光を用いて第２軸部材２５において反射させた反射光や第２凹部５８に入射した光を用いて演出を行うことができる。このように、本実施の形態に係る遊技機１によれば、第１挿通孔５１に第１凹部５７を形成し、第２挿通孔５４に第２凹部５８を形成することで、第１羽根部材２２及び第２羽根部材２３における光を用いた演出効果をより向上させることができ、遊技者の興趣を向上させるような演出をより行うことが可能になる。
【００３８】
また、本実施の形態に係る遊技機１は、カバー部材２７に第１集光部７６及び第２集光部７７を形成しており、第１集光部７６は第１開口部８１及び第１集光面８２を備え、第２集光部７７は第２開口部８３及び第２集光面８４を備えている。したがって、第１発光部材２６の第１発光体６２から照射された光は、第１開口部８１を通過して第１軸部材２４を照射するだけではなく、第１集光面８２においても光を反射させたり、屈折させたりすることができる。また、第２発光部材２８の第２発光体６３から照射された光は、第２開口部８３を通過して第２軸部材２５を照射するだけではなく、第２集光面８４においても光を反射させたり、屈折させたりすることができる。したがって、本発明に係る遊技機１によれば、第１発光体６２及び第２発光体６３を用いることにより行われる光を用いた演出をさらにより多様化することが可能になる。また、このように第１集光部７６及び第２集光部７７で光を集光することにより、第１羽根部材２２及び第２羽根部材２３だけではなく、カバー部材２７全体を光らせる等して、カバー部材２７を用いて光による演出効果を上げることも可能になる。したがって、本実施の形態に係る遊技機１によれば、始動入賞装置１６において行われる光を用いた演出をさらにより多様化することができ、遊技者の興趣を向上させるための演出をより多様化させ、演出することが可能になる。
【００３９】
以上、本発明に係る遊技機について詳細に説明したが、上記したのは本発明に係る遊技機を例示したに過ぎず、本発明はこれに限定されるものではない。したがって、本発明に係る遊技機は、本発明に係る趣旨を逸脱しない範囲において適宜変更してよい。
【符号の説明】
【００４０】
１  遊技機
１１  遊技盤
１２  センター役物
１４  遊技領域
１６  始動入賞装置
２１  ベース部材
２２  第１羽根部材
２３  第２羽根部材
２４  第１軸部材
２５  第２軸部材
２６  第１発光部材
２７  カバー部材
５１  第１挿通孔
５４  第２挿通孔
５７  第１凹部
５８  第２凹部
５９  注入部
６１  第１基板
６２  第１発光体
６３  第２発光体
７６  第１集光部
７７  第２集光部
８１  第１開口部
８２  第１集光面
８３  第２開口部
８４  第２集光面
【図１】
2016096855.tif 000003
【図２】
2016096855.tif 000004
【図３】
2016096855.tif 000005
【図４】
2016096855.tif 000006
【図５】
2016096855.tif 000007
【図６】
2016096855.tif 000008